(57)【要約】【課題】  携帯端末装置の使用時において、その筐体をユーザーが手で保持したり卓上に載置したりするのに、取付部材が邪魔にならないようにすることができると共に、この携帯端末装置の不使用時には、取付部材のクリップ機能を確実に利用することができる携帯端末装置を提供する。【解決手段】  本体部８，１２の表面１２ｂ上に突出し、被取付部材に対して取り付け可能な取付部材３４を備える携帯端末装置３０であって、取付部材は、被取付部材に取り付け可能な第１の位置と、第１の位置にあるときよりも本体部の表面上からの突出量が少ない第２の位置との間で移動可能に設けられ、本体部は、取付部材を第１の位置と第２の位置との間で移動させる移動手段３２を有するようにした。【選択図】      図１
2006324862.tif 000002
【特許請求の範囲】
【請求項１】
本体部の表面上に突出し、被取付部材に対して取り付け可能な取付部材を備える携帯端末装置であって、
前記取付部材は、前記被取付部材に取り付け可能な第１の位置と、前記第１の位置にあるときよりも前記本体部の表面上からの突出量が少ない第２の位置との間で移動可能に設けられ、
前記本体部は、前記取付部材を前記第１の位置と前記第２の位置との間で移動させる移動手段を有する
ことを特徴とする携帯端末装置。
【請求項２】
前記本体部は、互いに連結された第１筐体と第２筐体とを備え、前記第１筐体と前記第２筐体が互いに対向して配置される閉状態と、両者が展開して配置される開状態との間で移動可能に構成され、
前記移動手段は、前記閉状態のときに前記取付部材を前記第１の位置に移動させ、前記開状態のときに前記取付部材を前記第２の位置に移動させるように構成されている
ことを特徴とする請求項１に記載の携帯端末装置。
【請求項３】
前記第１筐体と前記第２筐体とがヒンジを介して互いに回動可能に連結されており、
前記移動手段は、前記第１筐体と前記第２筐体との回動動作に対応して前記取付部材を前記第１の位置と前記第２の位置との間で移動させる
ことを特徴とする請求項２に記載の携帯端末装置。
【請求項４】
前記移動手段は、前記取付部材と当接可能に前記本体部に設けられ、当接した状態で前記取付部材を前記第２の位置から前記第１の位置に移動させる当接部材を有する
ことを特徴とする請求項１ないし３のいずれかに記載の携帯端末装置。
【請求項５】
前記取付部材は、弾性部材で構成されている
ことを特徴とする請求項１ないし４のいずれかに記載の携帯端末装置。
【請求項６】
前記取付部材は、前記第２の位置にあるときに前記本体部の表面から外側に突出しないように前記本体部に配設される
ことを特徴とする請求項１ないし５のいずれかに記載の携帯端末装置。
【発明の詳細な説明】
【技術分野】
【０００１】
本発明は、ベルト等の被取付部材に対して取り付け可能な取付部材を備える携帯端末装置に関するものである。
【背景技術】
【０００２】
従来において、図１０に示すように、携帯電話機４に着脱自在に、且つ、ベルトなどの被取付部材に取り付け可能に構成されるホルダー（取付部材）２があった（例えば、特許文献１参照）。携帯電話機４は、表示部６を有する第１筐体８と、操作部１０を有する第２筐体１２とを備えており、この第１筐体８と第２筐体１２がヒンジ部１４を介して互いに回動自在に連結される折畳み構造になっている。
【０００３】
そして、この携帯電話機４は、第１筐体８と第２筐体１２を所定角度で開いた（展開した）開状態から、この第１筐体８と第２筐体１２を互いに近づくように回動させることにより、第１筐体８と第２筐体１２が互いに重なり合ってコンパクトにした閉状態（不図示）にすることができる。
【０００４】
この携帯電話機４の表示部６及び操作部１０は、このような不図示の閉状態のときに、この表示部６の表示面及び操作部１０が互いに接近して向き合わされるように、第１筐体８及び第２筐体１２のそれぞれの所定の位置に配置されている。ここで、第２筐体１２において操作部１０が配置されている操作面を符号１２ａを付して表すこととする。
【０００５】
また、ホルダー２は略平板状の基板１６を有しており、この基板１６の周縁に形成された複数の爪１６ａが、この爪１６ａに対応して形成された携帯電話機４の第２筐体１２の複数の凹部１８のそれぞれに引掛かるようになっていることにより、ホルダー２は、携帯電話機４の第２筐体１２に装着したときに、基板１６が第２筐体１２の操作面１２ａとは反対側の背面１２ｂに接触するようになっていた。
【０００６】
また、ホルダー２には、その基板１６の長さ方向（紙面中、上下方向）の中央の位置に、この長さ方向と略平行方向に長さを有するクリップ部２０が設けられている。このクリップ部２０は、その一方の端部２０ａだけが可撓性を有するように基板１６に固定されていると共に、この一方の端部２０ａ寄りの一定の長さ部分が基板１６から、その厚さ方向に若干離れて基板１６と略平行になるように形成されている。
【０００７】
クリップ部２０がこのような構造を有していることにより、ホルダー２は、このクリップ部２０におけるその一方の端部２０ａとは反対側の他方の端部２０ｂ側から、このクリップ部２０と基板１６との間に、ベルト、又はズボンやスカート等の上縁等を挿入させて、ホルダー２をベルトや衣類などの上縁等に引掛けて取り付けることができるようになっている。
【０００８】
ここで、以後の説明においてベルト、ズボン及びスカート等のような、ホルダー２を引掛けて取付ることができるようなものを被取付部材ということとする。また、上記ホルダー２のクリップ部２０と同様に、被取付部材に引掛けることができるような機能をクリップ機能ということとする。
【特許文献１】実用新案登録第３０７７１２８号公報
【発明の開示】
【発明が解決しようとする課題】
【０００９】
しかしながら、前記図１０に示したような従来の携帯電話機４のホルダー２は、携帯電話機４の本体部（第２筐体１２）に着脱自在に構成されているため、このホルダー２を携帯電話機４に取付けた状態のときには、そのクリップ部２０が第２筐体１２の背面１２ｂ上に突出しており、携帯電話機４を使用するために第２筐体１２を手で保持したり卓上に載置したりする際に邪魔になってしまうという問題があった。
【００１０】
また、携帯電話機４の使用時や卓上への載置時に、このホルダー２が邪魔とならないようにするには、ホルダー２を本体部から取り外し、この取り外したホルダー２を携帯電話機４とは別に保持（保管）しておかなければならないといった問題があった。
【００１１】
また、ホルダー２を携帯電話機４から取り外した状態で、携帯電話機４のみを携帯してホルダー２を携帯しなかった場合や、ホルダー２を紛失したような場合には、このホルダー２のクリップ機能を利用したくても、利用することができなくなってしまうという問題があった。
【００１２】
また、前記図１０に示した従来の携帯電話機４のような折畳み構造以外の他の携帯電話機、或いは携帯電話機以外の他の種類の携帯端末装置に対して装着するような、前記図１０に示したホルダー２に相当する他のホルダー（取付部材）においても同様の問題があった。
【００１３】
そこで本発明は、上記問題点に鑑みて、携帯端末装置の使用時のように、その筐体をユーザーが手で保持したり卓上に載置したりする場合に、取付部材が邪魔にならないようにすることができると共に、この携帯端末装置の不使用時のように携帯端末装置を被取付部材に取り付けたいときには、取付部材のクリップ機能を確実に利用することができる携帯端末装置を提供することを課題とするものである。
【課題を解決するための手段】
【００１４】
上記課題を解決するために本発明は、
本体部の表面上に突出し、被取付部材に対して取り付け可能な取付部材を備える携帯端末装置であって、
前記取付部材は、前記被取付部材に取り付け可能な第１の位置と、前記第１の位置にあるときよりも前記本体部の表面上からの突出量が少ない第２の位置との間で移動可能に設けられ、
前記本体部は、前記取付部材を前記第１の位置と前記第２の位置との間で移動させる移動手段を有することを特徴とするものである。
【００１５】
また、本発明による携帯端末装置は、
前記本体部は、互いに連結された第１筐体と第２筐体とを備え、前記第１筐体と前記第２筐体が互いに対向して配置される閉状態と、両者が展開して配置される開状態との間で移動可能に構成され、
前記移動手段は、前記閉状態のときに前記取付部材を前記第１の位置に移動させ、前記開状態のときに前記取付部材を前記第２の位置に移動させるように構成されるようになっていてもよい。
【００１６】
また、本発明による携帯端末装置は、
前記第１筐体と前記第２筐体とがヒンジを介して互いに回動可能に連結されており、
前記移動手段は、前記第１筐体と前記第２筐体との回動動作に対応して前記取付部材を前記第１の位置と前記第２の位置との間で移動させるようになっていてもよい。
【００１７】
また、本発明による携帯端末装置は、前記移動手段が、前記取付部材と当接可能に前記本体部に設けられ、当接した状態で前記取付部材を前記第２の位置から前記第１の位置に移動させる当接部材を有するようになっていてもよい。
【００１８】
また、本発明による携帯端末装置は、前記取付部材が、弾性部材で構成されていてもよい。
【００１９】
また、本発明による携帯端末装置は、前記取付部材が、前記第２の位置にあるときに前記本体部の表面から外側に突出しないように前記本体部に配設されていてもよい。
【発明の効果】
【００２０】
このような本発明の携帯端末装置によれば、取付部材を移動させることにより、その本体部をユーザーが手で保持したり卓上に載置したりする場合に、取付部材が邪魔にならないようにすることができると共に、この携帯端末装置を被取付部材へ取り付けたい場合には、この取付部材による取り付け機能を確実に利用することができる。
【発明を実施するための最良の形態】
【００２１】
以下、本発明に係る携帯端末装置の実施の形態について、図面に基づいて具体的に説明する。
【００２２】
図１ないし図３は、本発明の第１の実施の形態に係る折畳み型携帯電話機３０（携帯端末装置に相当）について説明するために参照する図である。これらの図に示す折畳み型携帯電話機３０は、従来の携帯電話機４と同様の部分には同じ符号を付して説明し、従来と同様の構成についての重複する説明は省略するものとする。
【００２３】
本実施の形態に係る折畳み型携帯電話機３０は、図１及び図２に示すように、従来の携帯電話機４と同様に、第１筐体８と第２筐体１２がヒンジ部１４を介して互いに回動自在に連結されている。この第１筐体８と第２筐体１２とを合わせて、本体部と総称することがあるものとする。
【００２４】
折畳み型携帯電話機３０は、リンク部材（移動手段）３２、ホルダー部材（取付部材）３４、抑え部材３６を備えている。リンク部材３２は、図１に示すように、その一方の端部３２ａがヒンジ部１４の近傍において第１筐体８とピン結合されており、他方の端部３２ｂが、ホルダー部材３４の端部３４ａとピン結合されている。リンク部材３２については、その端部３２ａ，３２ｂを互いに結ぶ方向を長さ方向といい、第２筐体１２の幅方向と平行方向（図１において、紙面と直角の方向）を同じく幅方向ということとする。
【００２５】
リンク部材３２は、その長さ方向の端部３２ａ寄りの長さ部分が円弧状に曲げられていることにより、第１筐体８が回動して図１に示すような開状態から図３に示すような閉状態になったときでも、ヒンジ部１４のヒンジ軸１４ａを挟んで略反対側の位置まで回り込んで移動することができるようになっている。
【００２６】
また、リンク部材３２には、図１及び図２に示すように、その長さ方向の中間位置において、幅方向に長さを有するピン３８が貫通して固定されている。このピン３８は、図２に示すように、その長さ寸法がリンク部材３２の幅寸法よりも長くて、両方の端部３８ａ，３８ｂのそれぞれが、リンク部材３２から幅方向外側に突出している。
【００２７】
また、第２筐体１２には、図１に示すように、その長さ方向におけるヒンジ部１４側の端部に、この第２筐体１２の長さ方向に深さを有する凹部４０が形成されている。この凹部４０は、図１及び図２に示すように、第２筐体１２の幅方向に直交する側壁４０ａ，４０ｂを有するように形成されている。
【００２８】
凹部４０の側壁４０ａには、図１に示すように、この凹部４０の内側に開口して、第２筐体１２の厚さ方向と略平行方向に長さを有する溝４２が形成されている。また、図示しないが、この側壁４０ａと互いに対向する側壁４０ｂにも、側壁４０ａと同様の溝４２が対称に形成されている。この側壁４０ａ，４０ｂのそれぞれの溝４２には、ピン３８の端部３８ａ，３８ｂ（図２参照）が挿入されて、溝４２の長さ方向に沿って移動するようになっている（図１参照）。
【００２９】
また、第２筐体１２は、図１及び図２に示すように、その背面１２ｂに窪み１２ｃが形成されている。この窪み１２ｃは、第２筐体１２の長さ方向の中央部分に形成されており、このため図１に示すように、この第２筐体１２の幅方向に直角の断面において、第２筐体１２の厚さ寸法がこの第２筐体１２の長さ方向に沿って緩やかに変化するような弓形に形成されている。
【００３０】
ホルダー部材３４は、図１及び図２に示すように、一定の厚さの板形状を有しており、第２筐体１２の長さ方向と幅方向のそれぞれと平行方向に長さと幅を有している。そして、ホルダー部材３４には、その長さ方向の中央部分が第２筐体１２の窪み１２ｃの形状に沿って湾曲する弓形部３４ｂが形成されており、この弓形部３４ｂは窪み１２ｃに密着するようになっている。また、ホルダー部材３４には、その長さ方向と平行方向に長さを有する一定幅の長孔４６が、その端部３４ａの弓形部３４ｂ側に伸びて形成されている。
【００３１】
また、抑え部材３６は、図１に示すように、第２筐体１２の背面１２ｂに係止されると共にその長さ中間部４８がホルダー部材３４の長孔４６に通され、図２に示すように、長孔４６の幅寸法よりも大きい直径の頭部４９がホルダー部材３４に、第２筐体１２から離れないように係合している。
【００３２】
次に、折畳み型携帯電話機３０のホルダー部材３４の動作について説明する。折畳み型携帯電話機３０は、第１筐体８と第２筐体１２が互いに回動して図１に示す開状態から図３に示す閉状態に変化すると、図３に示すように、リンク部材３２の動作によりホルダー部材３４全体が、第２筐体１２の長さ方向におけるヒンジ部１４寄りの位置（第１の位置に相当）に移動するようになっている。
【００３３】
ホルダー部材３４は、このようなヒンジ部１４寄りの位置において、その弓形部３４ｂが第２筐体１２の窪み１２ｃから外れることにより、この弓形部３４ｂの端部３４ａ寄りの一定の長さ部分が、背面１２ｂの平面部分に乗り上げるようになる。そして、ホルダー部材３４は、この弓形部３４ｂの乗り上げた位置から端部３４ａとは反対側の長さ部分が窪み１２ｃから離れようになるため、このホルダー部材３４と第２筐体１２の窪み１２ｃとの間に、不図示のベルト、ズボン、スカート、ポケットなどの衣類の上縁等の被取付部材を入り込ませることにより、折畳み型携帯電話機３０をホルダー部材３４を介して被取付部材に引掛けて取り付けることができるような状態になる。
【００３４】
また、折畳み型携帯電話機３０は、図３に示す閉状態から図１に示す開状態に戻されると、リンク部材３２の動作によりホルダー部材３４は、第２筐体１２の長さ方向においてヒンジ部１４から離れるように移動して、図１に示されるような元の位置（第２の位置に相当）に戻されるようになっている。
【００３５】
ホルダー部材３４は、このようなヒンジ部１４側から離れた元の位置において、その弓形部３４ｂが第２筐体１２の窪み１２ｃと密着するようになるため、ホルダー部材３４の背面１２ｂから外側への突出量は少なくなるようになっている。
【００３６】
このような本実施の形態に係る折畳み型携帯電話機３０によれば、この折畳み型携帯電話機３０を開状態とした使用時において、その第２筐体１２をユーザーが手で保持したり卓上に載置したりする場合に、ホルダー部材３４が邪魔にならないようにすることができると共に、この折畳み型携帯電話機３０を閉状態とした不使用時には、ホルダー部材３４のクリップ機能を確実に利用することができる。
【００３７】
次に、図４及び図５に基づいて、本発明の第２の実施の形態に係る携帯電話機５０（携帯端末装置に相当）について説明する。本実施の形態に係る携帯電話機５０は、単一の筐体５２を有している。この単一の筐体５２を本体部ということがあるものとする。
【００３８】
図４に示すように、携帯電話機５０は、その筐体５２の操作面５２ａ側からユーザーが指先で押下することができるプッシュスイッチ５４、及びこのプッシュスイッチ５４にその押下方向の延長上で固定された当接部材５６を備えている。
【００３９】
このプッシュスイッチ５４及び当接部材５６は、バネ５８によりこのプッシュスイッチ５４の押下方向とは反対側の方向に付勢されるようになっていると共に、プッシュスイッチ５４が操作面５２ａから一定高さ以上に突出したり、抜け落ちたりしないような構造になっている。
【００４０】
また、携帯電話機５０は、筐体５２における操作面５２ａとは反対側の背面５２ｂから突出させたり引っ込めたりすることができるホルダー部材６０を備えている。このホルダー部材６０は、最も引っ込んだ状態のときに、背面５２ｂに形成された凹部６２内に収納されて、背面５２ｂから外側に突出しないようになっている。また、このホルダー部材６０は、このホルダー部材６０に固定された摺動軸６４を介してバネ６６により、常時凹部６２内に引っ込む方向に付勢されるようになっている。
【００４１】
この携帯電話機５０は、プッシュスイッチ５４が押下されることにより、当初においてホルダー部材６０から離れていた当接部材５６がホルダー部材６０に当接した後、プッシュスイッチ５４がさらに押下され続けることにより、当接部材５６がホルダー部材６０に当接した状態のまま、このホルダー部材６０を凹部６２の外側に移動させるようになっている。
【００４２】
ホルダー部材６０は、当接部材５６に押し進められることにより、図５に示すように、筐体５２の背面５２ｂから突出して、不図示のベルト、ズボン又はスカート等の被取付部材に引掛けることができるような位置（第１の位置に相当）まで移動するようになっている。
【００４３】
また、携帯電話機５０は、ホルダー部材６０が不図示の被取付部材に引掛けることができる位置まで移動した後、プッシュスイッチ５４から指先が離されると、このプッシュスイッチ５４、当接部材５６及びホルダー部材６０は、バネ５８，６６により、図４に示すような当初の位置（第２の位置に相当）に戻るようになっている。
【００４４】
なお、ホルダー部材６０が被取付部材に引掛けられている状態では、バネ５８，６６の付勢力によって被取付部材がホルダー部材６０により挟持されることとなる。
【００４５】
このような本実施の形態に係る折畳み型携帯電話機５０によれば、前記第１の実施の形態と同様に、この折畳み型携帯電話機５０の使用時において、その筐体５２をユーザーが手で保持したり卓上に載置したりする場合に、ホルダー部材６０が邪魔にならないようにすることができると共に、この折畳み型携帯電話機５０の不使用時には、ホルダー部材６０のクリップ機能を確実に利用することができる。
【００４６】
次に、図６ないし図９に基づいて、本発明の第３の実施の形態に係る折畳み型携帯電話機７０（携帯端末装置に相当）について説明する。
【００４７】
本実施の形態に係る折畳み型携帯電話機７０は、図６及び図７に示すように、その第２筐体１２の背面１２ｂ側にホルダー部材７２を備えている。このホルダー部材７２は平板形状の基板部７４を有している。
【００４８】
この基板部７４は、第２筐体１２の幅方向と平行方向に一定幅を有しており、この幅方向と直交する長さ方向の一方の端部７４ａが、第２筐体１２の長さ方向の中間位置において、回動軸線が幅方向と平行になるように軸支されている。第２筐体１２の背面１２ｂには、この基板部７４の平面形状に対応する開口部１２ｄが形成されている。
【００４９】
また、ホルダー部材７２には、基板部７４と接触・離隔自在なクリップ機能を有するクリップ部７６が設けられている。このクリップ部７６は、図６に示すように、基板部７４のヒンジ部１４とは反対側の面に設けられており、このクリップ部７６の長さ方向の一方の端部７６ａは、基板部７４における端部７４ａとは反対側の端部７４ｂに固定されている。
【００５０】
また、ホルダー部材７２には、その基板部７４の端部７４ｂに、ヒンジ部１４側に突出する弧状部７８が設けられている。弧状部７８には、ラック８０が形成されており、このラック８０は、ヒンジ部１４の回動軸線上に配置されるピニオン８２と噛合うようになっている。
【００５１】
ピニオン８２は、図８に示すように、ヒンジ軸１４ａに固定されているため、このヒンジ軸１４ａと一緒に回動する。また、ヒンジ軸１４ａは、ヒンジ部１４の構造内において、第１筐体８側に回動不能に固定され、第２筐体１２側に回動可能に軸支されているため、結局ピニオン８２は、第１筐体８と一緒に、第２筐体１２に対して回動するようになっている。
【００５２】
また、ヒンジ軸１４ａはその一方の端部に小径部１４ｂが形成され、この小径部１４ｂが第２筐体１２の肉厚部分に軸支されようになっている。そして、ヒンジ軸１４ａは、小径部１４ｂと互いに隣り合う大径部分１４ｃとの段差により形成される円環状の端面が、第２筐体１２の肉厚部分の内側側面に突き当てられると共に、この第２筐体１２の肉厚部分の外側に突出した端面から小ネジ８４がねじ込まれる構造になっている。このため、ヒンジ軸１４ａは、第２筐体１２から抜け落ちないようになっている。
【００５３】
次に、折畳み型携帯電話機７０のホルダー部材７２の動作について説明する。折畳み型携帯電話機７０は、図６に示すような開状態から、第１筐体８と第２筐体１２が互いに接近するように回動して図９に示すような閉状態に変化すると、図９に示すように、ピニオン８２とラック８０の噛合い動作によりホルダー部材７２全体が回動して、そのクリップ部７６が第２筐体１２の背面１２ｂから外側に突出するような位置（第１の位置に相当）に移動するようになっている。したがって、ホルダー部材７２は、その基板部７４とクリップ部７６との間に、不図示のベルト、ズボン又はスカート等の被取付部材を入り込ませて引掛けて取り付けることができるようになる。
【００５４】
また、折畳み型携帯電話機７０は、閉状態から図６に示すような開状態に戻ると、ピニオン８２とラック８０の噛合い動作によりホルダー部材７２が回動して、そのクリップ部７６が第２筐体１２内に収納されるような、元の位置（第２の位置に相当）に戻るようになっている。ホルダー部材７２のクリップ部７６は、このような元の位置において、第２筐体１２の背面１２ｂから外側に突出しなくなる。
【００５５】
このような本実施の形態に係る折畳み型携帯電話機７０によれば、この折畳み型携帯電話機７０の使用時において、その第２筐体１２をユーザーが手で保持したり卓上に載置したりする場合に、ホルダー部材７２が邪魔にならないようにすることができると共に、この折畳み型携帯電話機７０の不使用時には、ホルダー部材７２のクリップ機能を確実に利用することができる。
【００５６】
なお、前記第２の実施の形態では、本体部が単一の筐体５２だけで構成されていたが、前記第１及び第３の実施の形態と同様に、単一の筐体５２に代えて第１筐体８及び第２筐体１２を有するような構造になっていてもよい。
【００５７】
このような場合には、図示しないが、図４に示すようなホルダー部材６０が第２筐体の背面１２ｂ（図６等参照）から外側に突出したり又は引っ込んだりするようにしておくと共に、図４中のプッシュスイッチ５４を第２筐体の操作面１２ａ（図６等参照）から突出するように設けておき、閉状態にしたときに第１筐体８が、このプッシュスイッチ５４を押下するようになっていてもよい。
【００５８】
このように携帯電話機が開状態から閉状態になると、当接部材５６が自動的にホルダー部材６０に当接して、当接部材５６がホルダー部材６０に当接した状態のまま、このホルダー部材６０を第２筐体１２の外側（第１の位置）に移動させるように構成することにより、前記第１及び第３の実施の形態と同様の作用効果を奏することができる。
【００５９】
また、前記第１の実施の形態において、ホルダー部材３４は、合成樹脂等の弾性部材で形成されていてもよい。
【００６０】
また、前記第２及び第３の実施の形態においても、ホルダー部材６０，７２を弾性部材で形成し、ベルトなどの被取付部材を弾性的に挟持するような構成としてもよい。
【００６１】
また、前記第１ないし第３の実施の形態では、本発明を折畳み型携帯電話機３０、携帯電話機５０、及び折畳み型携帯電話機７０に対して適用した場合について説明したが、本発明は、他の種類の携帯電話機に対しても適用することができる。
【００６２】
例えば、図示しないが、第１筐体８と第２筐体１２とが互いの長さ方向の端部において、第２筐体１２の操作面１２ａに垂直の回動軸で連結されていることにより、第１筐体８と第２筐体１２とを互いに水平方向に回動させて開閉動作を行なうターン型携帯電話機に本発明を適用してもよい。また、第１筐体８と第２筐体１２とを互いの長さ方向にスライドさせて開閉動作を行なうスライド型携帯電話機に本発明を適用してもよい。
【００６３】
そして、これらターン型携帯電話機やスライド型携帯電話機においても、携帯電話機が開状態から閉状態へ開閉動作されると、ホルダー部材が携帯電話機の第２筐体の外側（第１の位置）に移動されるように構成されればよい。
【００６４】
また、上述した実施形態では、ホルダー部材を第１の位置に移動させる場合、ホルダー部材を携帯電話機の背面から外側に突出させて、ホルダー部材にベルト等の被取付部材を引っ掛けて取り付け可能に構成し、ホルダー部材を第２の位置に移動させる場合、ホルダー部材を携帯電話機の背面から外側に突出しないように構成しているが、ホルダー部材が第２の位置に移動したときには、第１の位置と比較して携帯電話機の背面からの突出量が少なくなるように構成されればよく、必ずしも携帯電話機の背面から外側に突出しない位置に位置させるように構成する必要はない。
【００６５】
また、上述した実施形態では、ホルダー部材の一端側に隙間を設けて、この一端側からベルトなどの被取付部材を入り込ませて引っ掛ける構成としたが、ホルダー部材は、このような構成に限定されずに、ホルダー部材が第１の位置に移動したときに被取付部材が取り付け可能な構成となる形状であればよい。例えば、ホルダー部材を略コ字状に形成して、当該ホルダー部材が第１の位置に位置するときに中央部に被取付部材を挿通可能な空間が形成されるような構成としてもよい。
【００６６】
また、上述した実施形態では、ホルダー部材が携帯電話機と一体に構成されているが、このような構成に限定されることなく、ホルダー部材を携帯電話機に対して脱着自在に構成してもよく、この場合にも、ホルダー部材が携帯電話機に取り付けられているときに、ホルダー部材が第１の位置と第２の位置との間を移動可能に構成されればよい。
【００６７】
また、前記第１ないし第３の実施の形態では、本発明を折畳み型携帯電話機３０、携帯電話機５０、及び折畳み型携帯電話機７０に対して適用した場合について説明したが、本発明は、例えばＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ナビゲーションシステムのような、携帯電話機以外の種類の携帯端末装置に対しても適用することができることはいうまでもない。
【図面の簡単な説明】
【００６８】
【図１】本発明の第１の実施の形態に係る折畳み型携帯電話機３０であって、第１筐体８と第２筐体１２を開状態にした場合を示す拡大側面断面図である。
【図２】本発明の第１の実施の形態に係る折畳み型携帯電話機３０であって、第１筐体８と第２筐体１２を開状態にした場合を示す拡大背面図である。
【図３】本発明の第１の実施の形態に係る折畳み型携帯電話機３０であって、第１筐体８と第２筐体１２を閉状態にした場合を示す拡大側面断面図である。
【図４】本発明の第２の実施の形態に係る携帯電話機５０であって、プッシュスイッチ５４が押下されていない状態を示す側面断面図である。
【図５】本発明の第２の実施の形態に係る携帯電話機５０であって、プッシュスイッチ５４を押下した状態を示す側面断面図である。
【図６】本発明の第３の実施の形態に係る折畳み型携帯電話機７０であって、第１筐体８と第２筐体１２を開状態にした場合を示す拡大側面断面図である。
【図７】本発明の第３の実施の形態に係る折畳み型携帯電話機７０であって、第１筐体８と第２筐体１２を開状態にした場合を示す拡大背面図である。
【図８】本発明の第３の実施の形態に係る折畳み型携帯電話機７０であって、図６中におけるＡ−Ａ線矢視の拡大断面図である。
【図９】本発明の第３の実施の形態に係る折畳み型携帯電話機７０であって、第１筐体８と第２筐体１２を閉状態にした場合を示す拡大側面断面図である。
【図１０】従来のホルダー２及び携帯電話機４を示す側面図である。
【符号の説明】
【００６９】
２  ホルダー
４  携帯電話機
６  表示部
８  第１筐体
１０  操作部
１２  第２筐体
１２ａ  操作面
１２ｂ  背面
１２ｃ  窪み
１２ｄ  開口部
１４  ヒンジ部
１４ａ  ヒンジ軸
１４ｂ  小径部
１４ｃ  大径部
１６  基板
１６ａ  爪
１８  凹部
２０  クリップ部
３０  折畳み型携帯電話機
３２  リンク部材
３２ａ，３２ｂ  端部
３４  ホルダー部材（取付部材）
３４ａ  端部
３４ｂ  弓形部
３６  抑え部材
３８  ピン
４０  凹部
４０ａ，４０ｂ  側壁
４２  溝
４６  長孔
４８  長さ中間部
４９  頭部
５０  携帯電話機
５２  筐体
５２ａ  操作面
５２ｂ  背面
５４  プッシュスイッチ
５６  当接部材
５８  バネ
６０  ホルダー部材（取付部材）
６２  凹部
６４  摺動部
６６  バネ
７０  折畳み型携帯電話機
７２  ホルダー部材（取付部材）
７４  基板部
７４ａ，７４ｂ  端部
７６  クリップ部
７６ａ  端部
７８  弧状部
８０  ラック
８２  ピニオン
８４  小ネジ
【図１】
2006324862.tif 000003
【図２】
2006324862.tif 000004
【図３】
2006324862.tif 000005
【図４】
2006324862.tif 000006
【図５】
2006324862.tif 000007
【図６】
2006324862.tif 000008
【図７】
2006324862.tif 000009
【図８】
2006324862.tif 000010
【図９】
2006324862.tif 000011
【図１０】
2006324862.tif 000012